(57)【特許請求の範囲】
【請求項１】
録画により提供される不在対戦者の動画映像並びに投球結果・スコアを表示する表示手段とその音声を放送する放送手段を備え、前記不在対戦者の動画映像との交互投球により競技を行う際に使用するモニターボウリングオートスコアラーであって、不在対戦者と共通の隠しフレームによるハンデキャップを自動的に設定する設定手段、スコアの比較手段、勝敗の判定手段、及びその判定結果の表示手段を備えることにより、ボウリング競技のための不在対戦者をモニター画面上に提供することを特徴とするモニターボウリングオートスコアラー。
【請求項２】
他のボウリング場のオートスコアラーとの双方向通信により競技用データ・投球者の動画映像・音声並びに投球結果・スコアを送信する手段を備え、双方向通信により提供される対戦者の動画映像並びに投球結果・スコアを表示する表示手段とその音声を放送する放送手段を備え、前記対戦者の動画映像との交互投球により競技を行う際に使用するモニターボウリングオートスコアラーであって、対戦者と共通の隠しフレームによるハンデキャップを自動的に設定する設定手段、スコアの比較手段、勝敗の判定手段、及びその判定結果の表示手段を備えることにより、ボウリング競技のための対戦者をモニター画面上に提供することを特徴とするモニターボウリングオートスコアラー。
【請求項３】
他のボウリング場に対戦相手が見つからない場合には、録画により提供される不在対戦者の動画映像並びに投球結果・スコアを表示する表示手段とその音声を放送する放送手段を備え、前記不在対戦者の動画映像との交互投球により競技を行う際に使用するモニターボウリングオートスコアラーであって、不在対戦者と共通の隠しフレームによるハンデキャップを自動的に設定する設定手段、スコアの比較手段、勝敗の判定手段、及びその判定結果の表示手段を備えることにより、ボウリング競技のための不在対戦者をモニター画面上に提供することを特徴とする請求項２記載のモニターボウリングオートスコアラー。
【発明の詳細な説明】
【０００１】
【発明の属する技術分野】
この発明は、ボウリング場においてボウリング競技をする際、モニター画面上の動画映像並びに音声により対戦者を提供し、自動的にそれぞれのハンデキャップ込みのスコアを計算、比較、判定する手段を備えたモニターボウリングオートスコアラーに関するものである。
【０００２】
【従来の技術】
従来、ボウリング競技において、ボウリング場における各レーン毎に、投球後の投球結果を検出する投球結果検出手段を持ち、各レーンのコンソールと、コンソールと接続しデータ通信を行うホストコンピューターとを備え、各投球者のスコアを計算する計算手段と、そのスコアを表示する表示手段を備え、各フレーム毎のスコアの比較手段と勝敗の判定手段、及びその結果の表示手段を持つオートスコアラーがあった。
また、ハンデキャップ設定フレームを選び、自動的にハンデキャップを設定する手段を持つオートスコアラーがあった。
【０００３】
【発明が解決しようとする課題】
これは次のような欠点があった。
（イ）従来のオートスコアラーは、投球により倒された倒ピン数を検出する投球結果検出手段により検出された投球結果に基づきスコアを計算するものであったので、投球結果が検出されない不在対戦者を表示する手段並びにそのスコアを自動的に計算、比較、判定、表示する手段を持たなかった。
そのため、投球者が対戦者を見つけられず単独でプレーする場合には、従来のオートスコアラーは対戦者を提供する手段を持たず、一般的な対戦競技や各フレーム毎にスコアを比較して勝敗を決めるマッチゲームを競技することは不可能だった。
（ロ）また、従来のオートスコアラーによるデータ通信は、ホストコンピューターと各レーンを結んだボウリング場内でのみ行われ、他のボウリング場のホストコンピューターとデータ通信する手段を持たなかったため、他のボウリング場での競技者のスコアを自動的に計算、比較、判定、表示する手段を備えなかった。そのため、トーナメント戦やリーグ戦などの一般に行なわれている対戦競技や各フレーム毎にスコアを比較して勝敗を決めるマッチゲームは、競技者が一か所に集合して競技しなければならず、頻繁に競技する者にとっては移動の負担が重かった。
（ハ）また、隠しフレームにより自動的にハンデキャップを設定するオートハンデによる競技大会は、他のボウリング場の競技者と共通の隠しフレームを設定することが不可能であったため、全国規模の競技大会が開催できず、各ボウリング場内での小規模な競技大会に限定されていた。
【０００４】
【課題を解決するための手段】
上記課題を解決するために，本発明は、録画により提供される不在対戦者の動画映像並びに投球結果・スコアを表示する表示手段とその音声を放送する放送手段を備え、前記不在対戦者の動画映像との交互投球により競技を行う際に使用するモニターボウリングオートスコアラーであって、不在対戦者と共通の隠しフレームによるハンデキャップを自動的に設定する設定手段、スコアの比較手段、勝敗の判定手段、及びその判定結果の表示手段を備えることにより、ボウリング競技のための不在対戦者をモニター画面上に提供するものである。
さらに、他のボウリング場のオートスコアラーとの双方向通信により競技用データ・投球者の動画映像・音声並びに投球結果・スコアを送信する手段を備え、双方向通信により提供される対戦者の動画映像並びに投球結果・スコアを表示する表示手段とその音声を放送する放送手段を備え、前記対戦者の動画映像との交互投球により競技を行う際に使用するモニターボウリングオートスコアラーであって、対戦者と共通の隠しフレームによるハンデキャップを自動的に設定する設定手段、スコアの比較手段、勝敗の判定手段、及びその判定結果の表示手段を備えることにより、ボウリング競技のための対戦者をモニター画面上に提供するものである。
そして、他のボウリング場に対戦相手が見つからない場合には、録画により提供される不在対戦者の動画映像並びに投球結果・スコアを表示する表示手段とその音声を放送する放送手段を備え、前記不在対戦者の動画映像との交互投球により競技を行う際に使用するモニターボウリングオートスコアラーであって、不在対戦者と共通の隠しフレームによるハンデキャップを自動的に設定する設定手段、スコアの比較手段、勝敗の判定手段、及びその判定結果の表示手段を備えることにより、ボウリング競技のための不在対戦者をモニター画面上に提供するものである。
【０００５】
【作用】
本発明により、専用回線又はインターネットを介して他のボウリング場のオートスコアラーに対して投球者名、ハンデキャップなどの競技用データが送信される。
投球者がボウリング競技を開始すると、動画映像・音声・投球結果・スコアが送信され、相手のモニター画面上に動画映像が映し出され、スピーカー又はヘッドホーンにより音声を放送する。
投球者と画面上の対戦相手は交互に投球を行ない、投球結果とスコアは双方に送信され、比較、判定、表示される。
隠しフレームによりハンデキャップが設定される場合には、共通の隠しフレームの選択指示が送信される。
送受信待機中には、録画された動画映像・投球結果・スコアを表示し音声を放送することにより仮想対戦者を提供する。
【０００６】
【実施例】
以下、本発明の一実施例について説明する。
図４に示すように、ボウリング場の各レーンのボウラーコンソール１台上にマイク２を配置し、各レーンの前方天井には前方カメラ３を取付けたモニターTV４及びスピーカー５を吊下げて前方カメラ３により競技者を撮影すると共に、レーンの後方天井には後方カメラ３を取付けてレーン表面２０及びピン２１を撮影する。
【０００７】
図１に示すように、Ａボウリング場のボウラーコンソール１には、スキャナー、動画映像を撮影するカメラ３、音声を入力するマイク２、動画映像及び投球結果・スコアを表示するモニターTV４、音声を放送するスピーカー５、不在対戦者の動画映像・音声並びに投球結果・スコアを記録したDVD６がそれぞれ接続されてコントロール制御されると共に、前記ボウラーコンソール１はホストコンピューター７に接続され、さらにMCTキーボード９が接続され、MCTモニター８、レーザープリンター１０をコントロール制御するMCTコンピューター１１も前記ホストコンピューター７に接続される。
そして、Ａボウリング場のホストコンピューター７は、専用回線１３を介してＢボウリング場のホストコンピュータ７及びデーターベースサーバー１２に接続される。
【０００８】
一方、上記と同様に，Ｂボウリング場のボウラーコンソール１には、スキャナー、カメラ３、マイク２、モニターTV４、スピーカー５、DVD６がそれぞれ接続されてコントロール制御されると共に、前記ボウラーコンソール１はホストコンピューター７に接続され、さらにホストコンピューター７は、MCTコンピューター１１と接続され、MCTキーボード９が接続されたMCTコンピューター１１はMCTモニター８、レーザープリンター１０をコントロール制御する。
そして、Ｂボウリング場のホストコンピューター７も、専用回線１３を介してＡボウリング場のホストコンピューター７及び前記データーベースサーバー１２に接続される。
【０００９】
したがって，Ａボウリング場とＢボウリング場のホストコンピューター７同士は、前記データーベースサーバー１２を介してデータの双方向通信を行うことができる。
また、データベースサーバー１２は、WWWサーバー１７、DNSサーバー１８、メールサーバー１９並びにハッカー(不正侵入者)の侵入を防ぐファイアウォールサーバー１４を介して通信回線１５により外部のインターネット１６と通信することができる。
【００１０】
初めに、他のボウリング場の投球者とプロチャレンジ、トーナメント、リーグ戦などの対戦競技を行う場合について説明すると、
（１）例えば、Ａボウリング場の投球者ａとＢボウリング場の投球者ｂが競技する場合、図１のように、データベースサーバ１２を介して双方のオートスコアラーのホストコンピューター７間でデータ通信が行なわれ、それぞれの動画映像・音声・投球結果・スコアが送受信される。
（２）Ａボウリング場のホストコンピューター７からＢボウリング場のホストコンピューター７に対して投球者名、ハンデキャップなどの競技用データが送信された後、Ｂボウリング場のホストコンピューター７からＡボウリング場のホストコンピューター７に動画映像、音声が送信され、図２のように、モニター画面上に投球者ｂの動画映像が表示され、音声が放送される。
【００１１】
（３）投球者ａが投球を開始し、１フレーム目の動画映像・音声・スコアがＢボウリング場のホストコンピューター７に送信された後、投球者ｂが１フレーム目を投球し、その動画映像・音声・スコアがＡボウリング場のホストコンピューター７に送信される。
図３のように、画面の切り替えまたは分割、重ね合わせにより表示される。
（４）各フレーム毎にスコアを比較して勝敗を決めるマッチゲーム競技の場合は両者のスコアを比較して、勝敗を判定し、表示する。
（５）以下、同様に交互に投球を繰り返し競技が進み、終了時には競技結果が双方のボウリング場のレーザープリンター１０により印刷される。
【００１２】
（６）投球者の動画映像は１か所又は図４のように複数カ所から撮影し、画面の切り替えまたは分割により送受信する。
（７）必要に応じハンデキャップを設定し、あらかじめ設定されたハンデキャップの場合は、その数値がゲーム開始前に画面に表示され、ハンデキャップ込みのスコアが計算されていく。
隠しフレームによりハンデキャップが自動的に設定されるオートハンデの場合は、ゲーム毎に双方のボウリング場の投球者に共通の隠しフレームが設定される。
【００１３】
次に，他のボウリング場に対戦相手が見つからない場合について説明すると、ハードディスクまたはDVD６等の記録装置に録画された仮想投球者の動画映像・投球結果・スコアが表示され音声が放送される。
他のボウリング場と送受信せずに、上記のように他のボウリング場の投球者と対戦する場合と同様に競技が進行され、投球者が１フレーム目を投球した後、仮想投球者の動画映像の表示及び音声の放送がなされ、仮想投球者の１フレーム目の投球結果・スコアが表示される。
各フレーム毎にスコアを比較して勝敗を決めるマッチゲーム競技の場合は各フレーム毎に両者のスコアを比較して、勝敗を判定し、表示する。
以下、同様に交互に投球を繰り返し競技が進み、終了時には競技結果がレーザープリンター１０により印刷される。
仮想投球者の動画映像は、過去の実際の競技記録または繰り返し放送される見本映像であり、スコアも過去の実際の競技記録またはオートスコアラーが設定する仮想スコアである。
【００１４】
【効果】
従来のオートスコアラーは、投球により倒された倒ピン数を検出する投球結果検出手段により検出された投球結果に基づきスコアを計算するものであったので、投球者が対戦者を見つけられず単独でプレーする場合には、一般的な対戦競技や各フレーム毎にスコアを比較して勝敗を決めるマッチゲームを競技することは不可能だったが、本発明は、ハードディスクまたはDVD等の記録装置に録画された仮想投球者の動画映像・投球結果・スコアが表示され音声が放送されるので、それを解消することができた。
従来のオートスコアラーによるデータ通信は、ホストコンピューターと各レーンを結んだボウリング場内でのみ行われ、他のボウリング場のホストコンピューターとデータ通信する手段を持たなかったため、トーナメント戦やリーグ戦などの一般に行なわれている対戦競技や各フレーム毎にスコアを比較して勝敗を決めるマッチゲームは、競技者が一か所に集合して競技しなければならず、頻繁に競技する者にとっては移動の負担が重かったが、本発明は，それを解消することができた。
また、隠しフレームにより自動的にハンデキャップを設定するオートハンデによる競技大会は、他のボウリング場の競技者と共通の隠しフレームを設定することが不可能であったため、全国規模の競技大会が開催できず、各ボウリング場内での小規模な競技大会に限定されていたが、本発明は，それを解消することができた。
【図面の簡単な説明】
【図１】本発明の一実施例のデータ通信ネットワークを表示した表示図である。
【図２】本発明を使用した場合の具体的使用状態を示すモニターTVの画面の表示図である。
【図３】本発明を使用した場合の具体的使用状態を示すモニターTVの画面の表示図である。
【図４】本発明の実施例のレーン上側面図を表示した表示図である。
【符号の説明】
１    コンソール
２    マイク
３    カメラ
４    モニターTV
５    スピーカー
６    DVD
７    ホストコンピューター
８    MCTモニター
９    MCTキーボード
１０  レーザープリンタ
１１  MCTコンピューター
１２  データベースサーバ
１３  専用回線
１４  ファイアウォールサーバ
１５  通信回線
１６  インターネット
１７  WWWサーバ
１８  DNSサーバ
１９  メールサーバ
２０  レーン表面
２１  ピン
２２  ピンセッター
【図１】
0003670190.tif 000002
【図２】
0003670190.tif 000003
【図３】
0003670190.tif 000004
【図４】
0003670190.tif 000005